(57)【要約】【課題】一つの側面では、広告の効果を適切に測定することができるプログラム等を提供することにある。【解決手段】一態様のプログラムは、情報処理装置２に用いられるプログラム２２Ｐであって、該情報処理装置２に、位置を示す位置情報及び広告６が表示された位置を示す広告位置情報に基づいて該位置情報が示す位置から所定の範囲内の広告位置情報を他の情報処理装置１へ出力し、該広告位置情報が示す位置に表示された広告６に対応し、かつ、前記他の情報処理装置１で撮像された広告６の広告識別情報を前記他の情報処理装置１から取得する処理を実行させる。【選択図】図１
2016133841.tif 000002
【特許請求の範囲】
【請求項１】
情報処理装置に用いられるプログラムであって、
該情報処理装置に、
位置を示す位置情報及び広告が表示された位置を示す広告位置情報に基づいて該位置情報が示す位置から所定の範囲内の広告位置情報を他の情報処理装置へ出力し、
該広告位置情報が示す位置に表示された広告に対応し、かつ、前記他の情報処理装置で撮像された広告の広告識別情報を前記他の情報処理装置から取得する
処理を実行させるプログラム。
【請求項２】
取得した前記広告識別情報を記憶部に記憶し、
前記記憶部に記憶された広告識別情報それぞれについて、該広告識別情報が取得された回数を計数する
処理を実行させる請求項１に記載のプログラム。
【請求項３】
ユーザを識別するためのユーザ識別情報と、前記広告の種別とが対応づけられて前記記憶部に記憶されており、
前記ユーザ識別情報を取得し、
取得したユーザ識別情報に対応づけられた広告の種別と前記所定の範囲内の広告位置情報が示す位置に表示された広告の種別とが一致するか否かを判定し、
取得したユーザ識別情報に対応づけられた広告の種別と前記所定の範囲内の広告位置情報が示す位置に表示された広告の種別とが一致する場合、前記広告位置情報を前記他の情報処理装置へ出力する
処理を実行させる請求項１又は請求項２に記載のプログラム。
【請求項４】
前記ユーザの属性を示す属性情報に基づいて前記広告の種別を特定し、
特定した広告の種別と前記所定の範囲内の広告位置情報が示す位置に表示された広告の種別とが一致するか否かを判定し、
特定した広告の種別と前記所定の範囲内の広告位置情報が示す位置に表示された広告の種別とが一致する場合、前記広告位置情報を前記他の情報処理装置へ出力する
処理を実行させる請求項３に記載のプログラム。
【請求項５】
前記広告と前記広告が屋内にあるか否かを示す屋内情報とが対応づけられて前記記憶部に記憶されており、
前記屋内情報に基づいて前記広告が屋内にあるか否かを判定し、
前記広告が屋内にあると判定した場合、屋内に設置され、無線信号を送信する送信装置を識別するための送信識別情報を要求し、
前記送信識別情報を前記他の情報処理装置から取得し、
取得した送信識別情報に基づいて前記広告位置情報を前記他の情報処理装置へ出力する
処理を実行させる請求項１から請求項４のいずれか１つに記載のプログラム。
【請求項６】
位置を示す位置情報及び広告が表示された位置を示す広告位置情報に基づいて該位置情報が示す位置から所定の範囲内の広告位置情報を他の情報処理装置へ出力する出力部と、
該広告位置情報が示す位置に表示された広告に付属し、前記他の情報処理装置で撮像された広告識別情報を前記他の情報処理装置から取得する取得部と
を備える情報処理装置。
【請求項７】
情報処理装置における情報処理方法であって、
位置を示す位置情報及び広告が表示された位置を示す広告位置情報に基づいて該位置情報が示す位置から所定の範囲内の広告位置情報を他の情報処理装置へ出力し、
該広告位置情報が示す位置に表示された広告に付属し、前記他の情報処理装置で撮像された広告識別情報を前記他の情報処理装置から取得する
情報処理方法。
【発明の詳細な説明】
【技術分野】
【０００１】
本発明は、広告に関する情報を処理するプログラム等に関する。
【背景技術】
【０００２】
従来、広告の前方の画像を撮像し、撮像した画像を画像解析で広告を立ち止まって見ている人数及び時間を測定することにより広告の効果を計測する技術が知られている（例えば特許文献１）。
【先行技術文献】
【特許文献】
【０００３】
【特許文献１】特開２０１０−１２３７２７号公報
【発明の概要】
【発明が解決しようとする課題】
【０００４】
しかし、特許文献１に開示された技術では、駅前等の広告が多い場所で隣接する他の広告を立ち止まって見ている人間を測定する場合があり、広告の効果を適切に測定することが難しいという問題がある。
【０００５】
一つの側面では、広告の効果を適切に測定することができるプログラム等を提供することを目的とする。
【課題を解決するための手段】
【０００６】
一つの態様では、情報処理装置に用いられるプログラムであって、該情報処理装置に、位置を示す位置情報及び広告が表示された位置を示す広告位置情報に基づいて該位置情報が示す位置から所定の範囲内の広告位置情報を他の情報処理装置へ出力し、該広告位置情報が示す位置に表示された広告に対応し、かつ、前記他の情報処理装置で撮像された広告の広告識別情報を前記他の情報処理装置から取得する処理を実行させる。
【発明の効果】
【０００７】
一つの側面では、広告の効果を適切に測定することができる。
【図面の簡単な説明】
【０００８】
【図１】情報処理システムの概要を示す模式図である。
【図２】携帯端末装置のハードウェア群を示すブロック図である。
【図３】サーバのハードウェア群を示すブロック図である。
【図４】広告情報ＤＢに格納されているデータの一例を示す図である。
【図５】ユーザ情報ＤＢに格納されているデータの一例を示す図である。
【図６】情報処理システムの一例を説明する説明図である。
【図７】本実施形態における情報処理システムの処理手順を示したフローチャートである。
【図８】本実施形態における情報処理システムの処理手順を示したフローチャートである。
【図９】広告情報ＤＢに格納されているデータの一例を示す図である。
【図１０】ユーザ情報ＤＢに格納されているデータの一例を示す図である。
【図１１】本実施形態における情報処理システムの処理手順を示したフローチャートである。
【図１２】広告情報ＤＢに格納されているデータの一例を示す図である。
【図１３】ユーザ情報ＤＢに格納されているデータの一例を示す図である。
【図１４】情報処理システムの一例を説明する説明図である。
【図１５】本実施形態における情報処理システムの処理手順を示したフローチャートである。
【図１６】情報処理システムの概要を示す模式図である。
【図１７】送信装置のハードウェア群を示すブロック図である。
【図１８】サーバのハードウェア群を示すブロック図である。
【図１９】広告情報ＤＢに格納されているデータの一例を示す図である。
【図２０】屋内広告情報ＤＢに格納されているデータの一例を示す図である。
【図２１】屋内で動作する情報処理システムを説明する説明図である。
【図２２】本実施形態における情報処理システムの処理手順を示したフローチャートである。
【図２３】本実施形態における情報処理システムの処理手順を示したフローチャートである。
【図２４】実施の形態６に係るサーバのハードウェア群を示すブロック図である。
【図２５】実施の形態６に係るサーバの機能ブロック図である。
【発明を実施するための形態】
【０００９】
実施の形態１
以下本実施の形態を、図面を参照して説明する。図１は情報処理システムの概要を示す模式図である。図１に示す情報処理システムは、携帯端末装置１Ａ、１Ｂ、１Ｃと、サーバ２とを備える。なお、本明細書では場合により携帯端末装置１Ａ、１Ｂ、１Ｃを携帯端末装置（以下、情報処理装置と言う場合もある）１と言う。携帯端末装置１及びサーバ２はインターネット、ＬＡＮ(Local Area Network)または携帯電話網等の通信網Ｎにより相互に接続されている。携帯端末装置１は通信網Ｎを介して、サーバ２との間で情報の取得又は出力を行っている。サーバ２とは情報処理装置である。
【００１０】
以下では情報処理システムの概要を説明する。携帯端末装置１は画像を撮像する機能を有し、撮像した画像をサーバ２へ出力する装置であり、例えば、スマートフォン、携帯電話又はウェアラブル端末等である。携帯端末装置１は携帯端末装置１に係るユーザを識別するためのユーザＩＤ及び携帯端末装置１の位置を示す端末位置情報をサーバ２へ出力する。サーバ２は広告６Ａ、６Ｂ、６Ｃに関する情報を記憶するコンピュータであり、例えば、サーバコンピュータ又はプラットフォーム等である。本明細書では場合により広告６Ａ、６Ｂ、６Ｃを広告６と言う。サーバ２は携帯端末装置１からユーザＩＤ及び端末位置情報等を取得する。サーバ２は取得した端末位置情報及び広告６が表示された位置を示す広告位置情報に基づいて端末位置情報が示す位置から所定の範囲内の広告位置情報をユーザＩＤに対応する携帯端末装置１へ出力する。具体的にはサーバ２は取得した端末位置情報及び広告６が設置された緯度及び経度等の位置情報に基づいて端末位置情報が示す位置から所定の範囲内で、広告６を設置した位置を説明するメッセージを示す位置説明情報をユーザＩＤに対応する携帯端末装置１へ出力する。すなわち広告位置情報は広告６の位置情報及び位置説明情報の概念を含む。携帯端末装置１は位置説明情報をサーバ２から取得し、表示する。
【００１１】
ユーザは広告位置情報に基づいて広告６を撮像可能な位置に移動し、携帯端末装置１で広告６に付属し、広告６を識別するための広告ＩＤ（以下、広告識別情報と言う）を撮像する。広告ＩＤとは例えば、ＱＲコード（登録商標）又は画像に埋め込まれた数字又は文字等の情報である。携帯端末装置１は広告ＩＤをサーバ２へ出力する。サーバ２は広告ＩＤを携帯端末装置１から取得する。サーバ２は広告ＩＤに対応する対応情報を携帯端末装置１へ出力する。携帯端末装置１は対応情報をサーバ２から取得する。対応情報とは例えば、割引又はポイント等のクーポン情報又は広告６に関連するウェブサイトへのリンクである。
【００１２】
以下では情報処理システムの詳細を説明する。図２は携帯端末装置１のハードウェア群を示すブロック図である。図２に示す携帯端末装置１は、ＣＰＵ(Central Processing Unit)１１、記憶部１２、ＲＡＭ１３、入力部１４、表示部１５、通信部１６、撮像部１７及びＧＰＳ（Global Positioning System）受信部１８を備える。
【００１３】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１４】
記憶部１２は例えばハードディスクまたは大容量メモリ等である。記憶部１２にはＣＰＵ１１が処理を行う際に必要とする種々のデータ、携帯端末装置１に係るユーザを識別するためのユーザＩＤ（以下、ユーザ識別情報と言う）及びプログラム１２Ｐを格納する。
【００１５】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００１６】
入力部１４はタッチパネル等の入力デバイスであり、受け付けた操作情報をＣＰＵ１１へ出力する。表示部１５はＣＰＵ１１から出力された画像データを出力する。表示部１５は例えば液晶画面である。タッチパネルは表示部１５の表示画面を覆うように設けられている。なお、入力部１４はユーザの指示を受け付けるための各種ボタン、指示の確定を受け付けるエンターキー又はテンキー等でもよい。
【００１７】
通信部１６は、例えば無線ＬＡＮカード又は携帯電話用通信モジュール等であり、通信網Ｎを介して各種情報をサーバ２との間で送受信する。撮像部１７は例えばＣＣＤカメラ又はＣＭＯＳカメラ等であり、ＣＣＤ又はＣＯＭＳ等を介して入力された光信号を光電変換することにより画像データを取得する。
【００１８】
ＧＰＳ受信部１８は、ＧＰＳ衛星が出力した電波を受信するアンテナ（図示せず）を有し、当該アンテナを介してＧＰＳ衛星からの電波を受信する。ＧＰＳ受信部１８は、取得した電波を電気信号に変換し、変換した電気信号をＣＰＵ１１に出力する。ＣＰＵ１１は、ＧＰＳ受信部１８から受信した電気信号に基づいて、記憶部１２に記憶してあるプログラム１２Ｐを実行することにより、緯度及び経度等の位置情報を取得する。なお、ＣＰＵ１１はＧＰＳ受信部１８から高度の位置情報を取得してもよい。
【００１９】
図３はサーバ２のハードウェア群を示すブロック図である。図３に示すサーバ２は、ＣＰＵ２１、記憶部２２、ＲＡＭ２３、入力部２４、表示部２５及び通信部２６を備える。サーバ２は、ＣＰＵ２１、ＲＡＭ２３及び表示部２５の作用及び動作は、携帯端末装置１のＣＰＵ１１、ＲＡＭ１３及び表示部１５の作用及び動作と同様であるため、簡潔のため記載を省略する。
【００２０】
記憶部２２は例えばハードディスクまたは大容量メモリ等である。記憶部２２にはＣＰＵ２１が処理を行う際に必要とする種々のデータ、広告情報ＤＢ２２１、ユーザ情報ＤＢ２２２及びプログラム２２Ｐを格納する。
【００２１】
入力部２４はマウス、キーボード又はタッチパネル等の入力デバイスであり、受け付けた操作情報をＣＰＵ１１へ出力する。通信部２６は、例えば無線ＬＡＮカード又は携帯電話用通信モジュール等であり、通信網Ｎを介して各種情報を携帯端末装置１との間で送受信する。
【００２２】
図４は広告情報ＤＢ２２１に格納されているデータの一例を示す図である。広告情報ＤＢ２２１は広告６に関する広告情報を記憶するデータベースである。広告情報ＤＢ２２１は広告ＩＤ列、広告名列、緯度列、経度列、広告面方向列、視認範囲列、位置説明列及び対応情報列を備える。広告ＩＤ列には広告６を識別するための広告ＩＤが記憶される。すなわち広告ＩＤとは広告識別情報である。広告名列には広告の名称が記憶される。緯度列には広告６が設置された緯度が記憶される。経度列には広告６が設置された経度が記憶される。広告面方向列には広告６が表示された方向を示す広告面方向が記憶される。すなわち広告面方向とは広告表示方向である。広告面方向列には例えば、東、南、西又は北が記憶される。視認範囲列には広告６を視認可能な範囲を示す視認範囲が記憶され、単位は例えばメートルである。視認範囲は広告６の大きさ又は広告６が設置されている位置に基づいて決定される。広告６が例えばビルの屋上に設置された場合、視認範囲は２００メートルである。位置説明列には位置説明情報が記憶される。対応情報列には対応情報が記憶される。広告情報ＤＢ２２１は予め記憶されている。
【００２３】
図５はユーザ情報ＤＢ２２２に格納されているデータの一例を示す図である。ユーザ情報ＤＢ２２２はユーザに関する情報を記憶するデータベースである。ユーザ情報ＤＢ２２２はユーザＩＤ列、携帯端末装置列及び記憶済み広告ＩＤ列を備える。ユーザＩＤ列にはユーザＩＤが記憶される。携帯端末装置列にはユーザに係る携帯端末装置１の名称が記憶される。記憶済み広告ＩＤ列には携帯端末装置１から取得し、ユーザ情報ＤＢ２２２に記憶した広告ＩＤを示す記憶済み広告ＩＤが記憶される。ユーザＩＤ列のユーザＩＤ及び携帯端末装置列の携帯端末装置１の名称は携帯端末装置１から登録することができる。本実施形態では予めユーザが携帯端末装置１でユーザＩＤ及び携帯端末装置１の名称を登録しているものとする。ＣＰＵ１１は撮像部１７で広告６の画像を撮像する。ＣＰＵ１１は撮像した画像に含まれる広告ＩＤ及びユーザＩＤを通信部１６でサーバ２へ出力する。ＣＰＵ２１は広告ＩＤ及びユーザＩＤを通信部２６で携帯端末装置１から取得する。ＣＰＵ２１はユーザＩＤに対応する記憶済み広告ＩＤ列の行に記憶済み広告ＩＤを記憶する。
【００２４】
図６は情報処理システムの一例を説明する説明図である。具体的な情報処理システムの動作及び作用を図６を参照しつつ説明する。ユーザＡは端末装置１Ａを見ながら西へ歩いている。携帯端末装置１ＡのＣＰＵ１１はＧＰＳ受信部１８でＧＰＳ衛星から送信された電波を受信し、ＧＰＳ受信部１８から受信した電気信号に基づいて、緯度及び経度の端末位置情報を取得する。ＣＰＵ１１は端末位置情報に基づいて携帯端末装置１に係るユーザの進行方向「西」を算出する。進行方向とは端末位置情報が示す位置の変化に基づいて決定される変化方向である。ＣＰＵ１１は例えば、所定の時間間隔で緯度及び経度の変化を算出し、算出した緯度及び経度の変化の比から進行方向を算出する。所定の時間間隔とは例えば１０分である。ＣＰＵ１１は端末位置情報、ユーザＩＤ「１１１」及び進行方向「西」を通信部１６でサーバ２へ出力する。サーバ２のＣＰＵ２１は端末位置情報、ユーザＩＤ「１１１」及び進行方向「西」を通信部２６で携帯端末装置１から取得する。
【００２５】
携帯端末装置１Ａは広告６Ａの経度「１１．１１１１」緯度「１１１．１１１」から視認範囲２００ｍ以内及び広告６Ｃの経度「１１．１１１３」緯度「１１１．１１３」から視認範囲１００ｍ以内にある。このため、ＣＰＵ２１は携帯端末装置１Ａの位置から視認範囲にある広告ＩＤ「１１１１」及び「１１１３」を抽出する。ＣＰＵ２１は抽出した広告ＩＤ「１１１１」及び「１１１３」の内、進行方向「西」に対して広告面方向「東」を向く広告６Ａに対応する広告ＩＤ「１１１１」をさらに抽出する。すなわち、ＣＰＵ２１は端末装置１Ａの進行方向に相対する広告６を抽出する。ＣＰＵ２１は抽出した広告ＩＤ「１１１１」に対応する位置説明情報「デパートＡの屋上広告を見て」を特定する。ＣＰＵ２１は特定した位置説明情報「デパートＡの屋上広告を見て」を通信部２６でユーザＩＤ「１１１」に対応する携帯端末装置１Ａへ出力する。ＣＰＵ１１は位置説明情報「デパートＡの屋上広告を見て」を通信部１６でサーバ２から取得する。ＣＰＵ１１は位置説明情報「デパートＡの屋上広告を見て」をプッシュ通知により表示部１５に表示する。
【００２６】
ＣＰＵ１１は撮像部１７で広告６Ａの画像を撮像する。ＣＰＵ１１は撮像した広告６Ａの画像が広告ＩＤ「１１１１」を含むか否かを判定する。ＣＰＵ１１は例えば、撮像した画像に含まれるＱＲコードを読み取り、読み取ったＱＲコードに広告ＩＤが含まれるか否かを判定する。あるいはＣＰＵ１１は撮像した画像を画像解析し、画像解析した画像に広告ＩＤが含まれるか否かを判定してもよい。ＣＰＵ１１は撮像した広告６Ａの画像が広告ＩＤ「１１１１」を含むと判定した場合、広告ＩＤ「１１１１」及びユーザＩＤ「１１１」を通信部１６でサーバ２へ出力する。ＣＰＵ２１は広告ＩＤ「１１１１」及びユーザＩＤ「１１１」を通信部２６で携帯端末装置１Ａから取得する。ＣＰＵ２１はユーザ情報ＤＢ２２２において、ユーザＩＤ「１１１」に対応する広告ＩＤ列の１行目に広告ＩＤ「１１１１」を記憶する。ＣＰＵ２１はユーザＩＤ「１１１」及び「１１３」に記憶済み広告ＩＤ「１１１１」が記憶されているため、記憶済み広告ＩＤ「１１１１」の数が２であると表示部２５に表示する。ＣＰＵ２１は広告ＩＤ「１１１１」に対応するクーポンＡをユーザＩＤ「１１１」に対応する携帯端末装置１Ａへ出力する。ＣＰＵ１１はクーポンＡをサーバ２から取得する。ＣＰＵ１１はクーポンＡを表示部１５に表示する。ユーザは表示されたクーポンを印刷等して使用する。
【００２７】
ユーザＢは端末装置１Ｂを見ながら西へ歩いている。携帯端末装置１ＡのＣＰＵ１１はＧＰＳ受信部１８でＧＰＳ衛星から送信された電波を受信し、ＧＰＳ受信部１８から受信した電気信号に基づいて、緯度及び経度の端末位置情報を取得する。ＣＰＵ１１は端末位置情報に基づいて携帯端末装置１に係るユーザの進行方向「西」を算出する。ＣＰＵ１１は端末位置情報、ユーザＩＤ「１１２」及び進行方向「西」を通信部１６でサーバ２へ出力する。サーバ２のＣＰＵ２１は端末位置情報、ユーザＩＤ「１１２」及び進行方向「西」を通信部２６で携帯端末装置１から取得する。
【００２８】
携帯端末装置１Ｂは広告６Ｂの経度「１１．１１１０」緯度「１１１．１１１」から視認範囲１００ｍ以内にある。このため、ＣＰＵ２１は携帯端末装置１Ｂの位置から視認範囲にある広告ＩＤ「１１１２」を抽出する。ＣＰＵ２１は抽出した広告ＩＤ「１１１２」が進行方向「西」に対して広告面方向「東」を向く広告６Ｂであると判定した場合、抽出した広告ＩＤ「１１１２」に対応する位置説明情報「店舗Ｂの看板を見て」を特定する。ＣＰＵ２１は特定した位置説明情報「店舗Ｂの看板を見て」を通信部１６でユーザＩＤ「１１２」に対応する携帯端末装置１Ｂへ出力する。ＣＰＵ１１は位置説明情報「店舗Ｂの看板を見て」を通信部２６でサーバ２から取得する。ＣＰＵ１１は位置説明情報「店舗Ｂの看板を見て」をプッシュ通知により表示部１５に表示する。
【００２９】
ＣＰＵ１１は撮像部１７で広告６Ｂの画像を撮像する。ＣＰＵ１１は撮像した広告６Ｂの画像が広告ＩＤ「１１１２」を含むと判定する。ＣＰＵ１１は広告ＩＤ「１１１２」及びユーザＩＤ「１１２」を通信部１６でサーバ２へ出力する。ＣＰＵ２１は広告ＩＤ「１１１２」及びユーザＩＤ「１１２」を通信部２６で携帯端末装置１Ｂから取得する。ＣＰＵ２１はユーザ情報ＤＢ２２２において、ユーザＩＤ「１１２」に対応する記憶済み広告ＩＤ列の１行目に広告ＩＤ「１１１２」を記憶する。ＣＰＵ２１は記憶済み広告ＩＤ「１１１２」の数が１であると表示部２５に表示する。ＣＰＵ２１は広告ＩＤ「１１１２」に対応するウェブサイトへのリンク「http…」をユーザＩＤ「１１２」に対応する携帯端末装置１Ｂへ出力する。ＣＰＵ１１はウェブサイトへのリンク「http…」をサーバ２から取得する。ＣＰＵ１１はウェブサイトへのリンク「http…」を表示部１５に表示する。ユーザはウェブサイトへのリンク「http…」をタッチし、ウェブサイトへ行く。以下同様であり、簡潔のため記載を省略する。
【００３０】
図７〜８は本実施形態における情報処理システムの処理手順を示したフローチャートである。ＣＰＵ１１はＧＰＳ受信部１８でＧＰＳ衛星から送信された電波を受信し、ＧＰＳ受信部１８から受信した電気信号に基づいて、端末位置情報を取得する（ステップＳ１１）。ＣＰＵ１１は端末位置情報に基づいて携帯端末装置１に係るユーザの進行方向を算出する（ステップＳ１２）。ＣＰＵ１１は端末位置情報、進行方向及びユーザＩＤを通信部１６でサーバ２へ出力する（ステップＳ１３）。サーバ２のＣＰＵ２１は端末位置情報、進行方向及びユーザＩＤを通信部２６で携帯端末装置１から取得する（ステップＳ１４）。
【００３１】
ＣＰＵ２１は広告情報ＤＢ２２１を参照し、広告位置情報が示す位置から視認範囲内に端末位置情報が示す位置を含む広告６に対応する広告ＩＤを抽出する（ステップＳ１５）。すなわちＣＰＵ２１は端末位置情報が示す位置から視認範囲内にある広告６の広告ＩＤを抽出する。ＣＰＵ２１は抽出した広告ＩＤの内、進行方向に対して広告面方向が逆方向を向く広告６に対応する広告ＩＤをさらに抽出する（ステップＳ１６）。すなわちＣＰＵ２１は抽出した広告ＩＤの内、進行方向に対して広告面方向と相対する広告６に対応する広告ＩＤをさらに抽出する。ＣＰＵ２１は抽出した広告ＩＤに対応する位置説明情報を特定する（ステップＳ１７）。ＣＰＵ２１は特定した位置説明情報を通信部２６でユーザＩＤに対応する携帯端末装置１へ出力する（ステップＳ１８）。ＣＰＵ１１は位置説明情報を通信部１６でサーバ２から取得する（ステップＳ１９）。ＣＰＵ１１は位置説明情報を表示部１５に表示する（ステップＳ２０）。
【００３２】
ＣＰＵ１１は撮像部１７で広告６の画像を撮像する（ステップＳ２１）。ＣＰＵ１１は撮像した画像が広告ＩＤを含むか否かを判定する（ステップＳ２２）。ＣＰＵ１１は撮像した画像が広告ＩＤを含まないと判定した場合（ステップＳ２２：ＮＯ）、処理をステップＳ２１に移し、撮像した画像が広告ＩＤを含むまで処理を繰り返す。ＣＰＵ１１は撮像した画像が広告ＩＤを含むと判定した場合（ステップＳ２２：ＹＥＳ）、撮像した画像に含まれる広告ＩＤ及びユーザＩＤを通信部１６でサーバ２へ出力する（ステップＳ２３）。ＣＰＵ２１は広告ＩＤ及びユーザＩＤを通信部２６で携帯端末装置１から取得する（ステップＳ２４）。ＣＰＵ２１はユーザＩＤに基づいて記憶済み広告ＩＤをユーザ情報ＤＢ２２２に記憶する（ステップＳ２５）。ＣＰＵ２１は記憶済み広告ＩＤ毎に記憶済み広告ＩＤの数を計数する（ステップＳ２６）。ＣＰＵ２１は計数した記憶済み広告ＩＤの数を記憶済み広告ＩＤ毎に表示部２５に表示する（ステップＳ２７）。ＣＰＵ２１は広告ＩＤに対応する対応情報を通信部２６でユーザＩＤに対応する携帯端末装置１へ出力する（ステップＳ２８）。ＣＰＵ１１は対応情報を通信部１６でサーバ２から取得する（ステップＳ２９）。ＣＰＵ１１は対応情報を表示部１５に表示し（ステップＳ３０）、処理を終了する。
【００３３】
なお、本実施形態では進行方向の算出にＧＰＳを用いたが、電子コンパスを用いてもよい。また本実施形態では電波をＧＰＳ受信部１８から受信することで位置情報を取得したが、Wifi (Wireless Fidelity)、基地局から受信したセルＩＤ又はビーコンから受信したビーコンＩＤ等により位置情報を算出してもよい。また本実施形態では緯度及び経度を測定したが、高度を測定してもよい。その場合、ＣＰＵ１１は高度も含めた進行方向を算出してもよい。
【００３４】
一態様によれば、広告の効果を適切に測定することができる。
【００３５】
一態様によれば、ＣＰＵ１１は進行方向に対して広告面方向が逆方向を向く広告に対応する広告ＩＤを抽出する。このことによりユーザの目線に入る広告を携帯端末装置１に表示することができるため、ユーザが見やすい広告を提示することができる。
【００３６】
一態様によれば、記憶済み広告ＩＤの数を計数することでさらに広告の効果を適切に測定することができる。
【００３７】
実施の形態２
実施の形態２は興味分野と広告６の種別とが一致した広告ＩＤを携帯端末装置１へ出力する実施形態である。以下本発明の実施の形態２をその実施の形態を示す図面に基づいて詳述する。図９は広告情報ＤＢ２２１に格納されているデータの一例を示す図である。以下、特に説明する構成、作用以外の構成及び作用は実施の形態１と同等であり、簡潔のため記載を省略する。
【００３８】
広告情報ＤＢ２２１はさらに種別列を備える。種別列には広告６の種別が記憶される。種別列には例えば、観光、飲食又はスポーツ等が記憶される。種別列は予め記憶されている。図１０はユーザ情報ＤＢ２２２に格納されているデータの一例を示す図である。ユーザ情報ＤＢ２２２はさらに興味分野列、性別列及び年齢列を備える。興味分野列にはユーザが興味をもつ広告６の種別を示す興味分野が記憶される。性別列には携帯端末装置１に係るユーザの性別が記憶される。年齢列には携帯端末装置１に係るユーザの年齢が記憶される。興味分野列の興味分野、性別又は年齢はユーザＩＤとともに携帯端末装置１から登録することができる。本実施形態では予めユーザが携帯端末装置１で性別又は年齢を登録しているものとする。また本実施形態では予め一部のユーザが携帯端末装置１で興味分野を登録しているものとする。
【００３９】
具体的な情報処理システムの動作及び作用を説明する。ＣＰＵ２１は携帯端末装置１Ａの位置から視認範囲にある広告ＩＤ「１１１１」を抽出する。ＣＰＵ２１はユーザ情報ＤＢ２２２を参照し、ユーザＩＤ「１１１」に対応する興味分野の登録があると判定する。ＣＰＵ２１は興味分野「観光」と抽出した広告ＩＤ「１１１１」に対応する広告６の種別「観光」とが一致すると判定する。ＣＰＵ２１は抽出した広告ＩＤ「１１１１」に対応する位置説明情報「デパートＡの屋上広告を見て」を特定する。以下実施の形態１と同様であり、簡潔のため記載を省略する。
【００４０】
ＣＰＵ２１は携帯端末装置１Ｂの位置から視認範囲にある広告ＩＤ「１１１２」を抽出する。ＣＰＵ２１はユーザ情報ＤＢ２２２を参照し、ユーザＩＤ「１１２」に対応する興味分野の登録がないと判定する。ＣＰＵ２１はユーザＩＤ「１１２」に対応する年齢が２０歳以上であると判定する。ＣＰＵ２１はユーザＩＤに対応する性別が女であると判定した場合、「飲食」を特定する。ＣＰＵ２１は興味分野「飲食」と抽出した広告ＩＤ「１１１２」に対応する広告６の種別「飲食」とが一致すると判定する。ＣＰＵ２１は抽出した広告ＩＤ「１１１２」に対応する位置説明情報「店舗Ｂの看板を見て」を特定する。以下実施の形態１と同様であり、簡潔のため記載を省略する。
【００４１】
図１１は本実施形態における情報処理システムの処理手順を示したフローチャートである。ステップＳ１１〜Ｓ３０の処理は上述の実施の形態１に係る情報処理システムと同様であるので、簡潔のため説明を省略する。ＣＰＵ２１はステップＳ１６の処理を終了した後、ユーザ情報ＤＢ２２２を参照し、ユーザＩＤに対応する興味分野の登録があるか否かを判定する（ステップＳ３１）。
【００４２】
ＣＰＵ２１はユーザＩＤに対応する興味分野の登録がないと判定した場合（ステップＳ３１：ＮＯ）、ユーザＩＤに対応する年齢が２０歳以上であるか否かを判定する（ステップＳ３２）。ＣＰＵ２１はユーザＩＤに対応する年齢が２０歳以上であると判定した場合（ステップＳ３２：ＹＥＳ）、所定の第１興味分野を特定し（ステップＳ３３）、処理をステップＳ３７に移す。所定の第１興味分野とは例えば観光である。ＣＰＵ２１はユーザＩＤに対応する年齢が２０歳以上でないと判定した場合（ステップＳ３２：ＮＯ）、ユーザＩＤに対応する性別が男であるか否かを判定する（ステップＳ３４）。ＣＰＵ２１はユーザＩＤに対応する性別が男であると判定した場合（ステップＳ３４：ＹＥＳ）、所定の第２興味分野を特定し（ステップＳ３５）、処理をステップＳ３７に移す。所定の第２興味分野とは例えばスポーツである。ＣＰＵ２１はユーザＩＤに対応する性別が男でないと判定した場合（ステップＳ３４：ＮＯ）、すなわち性別が女であると判定した場合、所定の第３興味分野を特定し（ステップＳ３６）、処理をステップＳ３７に移す。所定の第３興味分野とは例えば飲食である。すなわち以上の処理とはＣＰＵ２１がユーザの属性を示す属性情報に基づいて興味分野を特定する処理である。属性情報とは例えば、年齢又は性別等である。
【００４３】
ＣＰＵ２１はユーザＩＤに対応する興味分野の登録があると判定した場合（ステップＳ３１：ＹＥＳ）、登録された興味分野又は特定された興味分野と抽出した広告ＩＤに対応する広告６の種別とが一致するか否かを判定する（ステップＳ３７）。ＣＰＵ２１は登録された興味分野又は特定された興味分野と抽出した広告ＩＤに対応する広告６の種別とが一致すると判定した場合（ステップＳ３７：ＹＥＳ）、処理をステップＳ１７に移す。ＣＰＵ２１は登録された興味分野又は特定された興味分野と抽出した広告ＩＤに対応する広告６の種別とが一致しないと判定した場合（ステップＳ３７：ＮＯ）、処理を終了する。
【００４４】
一態様によれば、興味分野と広告６の種別とが一致した広告ＩＤを携帯端末装置１へ出力する。このことによりユーザが興味をもつ広告６を表示することができるため、ユーザが広告６を見る可能性が上がる。
【００４５】
実施の形態３
実施の形態３は同一のグループの広告６が記憶されていた場合、より広告の効果があったと判定する実施形態である。以下本発明の実施の形態３をその実施の形態を示す図面に基づいて詳述する。図１２は広告情報ＤＢ２２１に格納されているデータの一例を示す図である。以下、特に説明する構成、作用以外の構成及び作用は実施の形態１と同等であり、簡潔のため記載を省略する。広告情報ＤＢ２２１はさらにグループ列を備える。グループ列には関連性がある広告６の種別又は同一企業又はグループ会社等のお互いに関連付けられた広告を分類したグループが記憶される。グループ列は予め記憶される。図１３はユーザ情報ＤＢ２２２に格納されているデータの一例を示す図である。ユーザ情報ＤＢ２２２はさらにポイント列を備える。ポイント列にはユーザに対する広告の効果を示すポイントが記憶される。ポイントの初期設定は０に設定されている。ＣＰＵ１１はユーザＩＤ及び広告ＩＤを取得する。ＣＰＵ１１はユーザＩＤに対応するポイントをインクリメントする。ＣＰＵ２１は取得した広告ＩＤと同一のグループであり、かつユーザＩＤに対応する記憶済み広告ＩＤがユーザ情報ＤＢ２２２にあると判定した場合、ユーザＩＤに対応するポイントをインクリメントする。ＣＰＵ２１はインクリメントしたポイントをユーザＩＤに対応づけてユーザ情報ＤＢ２２２に記憶する。
【００４６】
図１４は情報処理システムの一例を説明する説明図である。具体的な情報処理システムの動作及び作用を説明する。ユーザＣは携帯端末装置１Ｃを見ながら西へ歩いている。携帯端末装置１Ｃ及びサーバ２は実施の形態１と同様の作用及び動作を行った後、広告ＩＤ「１１１１」及びユーザＩＤ「１１３」を通信部１６でサーバ２へ出力する。ＣＰＵ２１は広告ＩＤ「１１１１」及びユーザＩＤ「１１３」を通信部２６で携帯端末装置１Ａから取得する。ＣＰＵ１１はポイントをインクリメントし、ユーザ情報ＤＢ２２２にユーザＩＤ「１１３」に対応づけて１ポイントを記憶する。ＣＰＵ２１はユーザ情報ＤＢ１２２において、ユーザＩＤ「１１３」に対応する広告ＩＤ列の３行目に広告ＩＤ「１１１１」を記憶する。
【００４７】
次にユーザＣは携帯端末装置１Ｃを見ながら北へ歩く。携帯端末装置１Ｃ及びサーバ２は実施の形態１と同様の作用及び動作を行った後、広告ＩＤ「１１１３」及びユーザＩＤ「１１３」を通信部１６でサーバ２へ出力する。ＣＰＵ２１は広告ＩＤ「１１１３」及びユーザＩＤ「１１３」を通信部２６で携帯端末装置１Ｃから取得する。ＣＰＵ２１はユーザＩＤ「１１３」に対応する１ポイントをインクリメントし、２ポイントに更新する。ＣＰＵ２１は取得した広告ＩＤ「１１１３」と同一のグループＡであり、かつユーザＩＤ「１１３」に対応する記憶済み広告ＩＤ「１１１１」がユーザ情報ＤＢ２２２にあると判定する。ＣＰＵ２１は記憶済み広告ＩＤ「１１１１」がユーザ情報ＤＢ１２２にあると判定した場合、２ポイントをインクリメントし、３ポイントに更新する。ＣＰＵ２１は３ポイントをユーザＩＤ「１１３」とともに表示部２５に表示する。
【００４８】
図１５は本実施形態における情報処理システムの処理手順を示したフローチャートである。ステップＳ１１〜Ｓ３０の処理は上述の実施の形態１に係る情報処理システムと同様であるので、簡潔のため説明を省略する。ＣＰＵ２１はステップＳ２４の処理を終了した後、ユーザＩＤに対応するポイントをインクリメントする（ステップＳ４１）。ＣＰＵ２１は取得した広告ＩＤと同一のグループであり、かつユーザＩＤに対応する記憶済み広告ＩＤがユーザ情報ＤＢ２２２にあるか否かを判定する（ステップＳ４２）。ＣＰＵ２１は記憶済み広告ＩＤがユーザ情報ＤＢ２２２にないと判定した場合（ステップＳ４２：ＮＯ）、処理をステップＳ４４に移す。ＣＰＵ２１は記憶済み広告ＩＤがユーザ情報ＤＢ２２２にあると判定した場合（ステップＳ４２：ＹＥＳ）、ポイントをインクリメントする（ステップＳ４３）。ＣＰＵ２１はポイントをユーザＩＤとともに表示部２５に表示し（ステップＳ４４）、処理をステップＳ２５に移す。
【００４９】
一態様によれば、ＣＰＵ１１は同一のグループの広告６が記憶されていた場合、ポイントをインクリメントすることでユーザが関連する広告を見ていると判断し、より広告の効果があったと判定することができる。
【００５０】
実施の形態４
実施の形態４は屋内の広告に対応した実施の形態である。以下本発明の実施の形態４をその実施の形態を示す図面に基づいて詳述する。図１６は情報処理システムの概要を示す模式図である。以下、特に説明する構成、作用以外の構成及び作用は実施の形態１と同等であり、簡潔のため記載を省略する。情報処理システムはさらに広告６Ｄが設置された部屋の中に送信装置７を備える。送信装置７は自身を識別するための送信ＩＤを送信する装置である。送信ＩＤとはすなわちビーコンＩＤである。送信装置７は例えば、ビーコンである。なお送信装置７はビーコンに限られず、Wi-Fiであってもよい。
【００５１】
図１７は送信装置７のハードウェア群を示すブロック図である。図１７に示す送信装置７は、ＣＰＵ７１、記憶部７２、ＲＡＭ７３及び送信部７６を備える。送信装置７のＣＰＵ７１及びＲＡＭ７３の作用及び動作は、携帯端末装置１のＣＰＵ１１及びＲＡＭ１３の作用及び動作と同様であるため、簡潔のため記載を省略する。
【００５２】
記憶部７２は例えばハードディスクまたは大容量メモリ等である。記憶部７２にはＣＰＵ７１が処理を行う際に必要とする種々のデータ及びプログラム７２Ｐを格納する。送信部７６は、例えばBluetooth（登録商標）モジュールであり、ＣＰＵ１１から出力されたデジタル信号を無線信号に変換して、ビーコンＩＤを含む無線信号を携帯端末装置１へ出力する。
【００５３】
図１８はサーバ２のハードウェア群を示すブロック図である。サーバ２の記憶部２２にはさらに屋内広告情報ＤＢ２２３が記憶されている。
【００５４】
図１９は広告情報ＤＢ２２１に格納されているデータの一例を示す図である。広告情報ＤＢ２２１はさらに設置位置列を備える。設置位置列には広告６を設置した位置が屋内であるか否かを判定する設置位置情報が記憶される。設置位置列には例えば、屋内又は屋外が記憶される。屋内とは広告６を設置した位置が屋内であることを示す。屋外とは広告６を設置した位置が屋外であることを示す。設置位置列は予め記憶されている。
【００５５】
図２０は屋内広告情報ＤＢ２２３に格納されているデータの一例を示す図である。屋内広告情報ＤＢ２２３は屋内に設置された屋内広告に関する情報を記憶するデータベースである。屋内広告情報ＤＢ２２３は広告ＩＤ列、広告面方向列、視認範囲列、位置説明列、対応情報列及びビーコンＩＤ列を備える。屋内広告情報ＤＢ２２３の広告ＩＤ列、広告面方向列、視認範囲列、位置説明列及び対応情報列の構成は広告情報ＤＢ２２１の広告ＩＤ列、広告面方向列、視認範囲列、位置説明列及び対応情報列の構成と同様の作用及び動作であり、簡潔のため記載を省略する。ビーコンＩＤ列にはビーコンＩＤが記憶される。ビーコンＩＤ列は予め記憶されている。
【００５６】
図２１は屋内で動作する情報処理システムを説明する説明図である。具体的な情報処理システムの動作及び作用を説明する。携帯端末装置１Ｄ及びサーバ２は実施の形態１と同様の作用及び動作を行った後、ＣＰＵ２１は広告ＩＤ「１１１４」に対応する広告Ｄが屋内に設置されているか否かを判定する。ＣＰＵ２１は屋内に設置されていると判定する。ＣＰＵ２１は位置説明情報「デパートＡの屋内に入って」及びビーコンＩＤ「１１」の出力要求を通信部２６でユーザＩＤ「１１４」に対応する携帯端末装置１へ出力する。ＣＰＵ１１は位置説明情報「デパートＡの屋内に入って」及びビーコンＩＤ「１１」の出力要求を通信部１６でサーバ２から取得する。ＣＰＵ１１は位置説明情報「デパートＡの屋内に入って」を表示部１５に表示する。
【００５７】
ユーザはデパートＡの屋内に入る。ＣＰＵ１１は送信装置７からビーコンＩＤ「１１」を受信する。ＣＰＵ１１はビーコンＩＤ「１１」及びユーザＩＤ「１１４」を通信部１６でサーバ２へ出力する。ＣＰＵ２１はビーコンＩＤ「１１」及びユーザＩＤ「１１４」を通信部２６で携帯端末装置１Ｄから取得する。ＣＰＵ２１は屋内広告情報ＤＢ２２３を参照し、ビーコンＩＤ「１１」に対応する位置説明情報「デパートＡの西壁を見て」を特定する。ＣＰＵ２１は位置説明情報「デパートＡの西壁を見て」を通信部２６で携帯端末装置１Ｄへ出力する。ＣＰＵ１１は位置説明情報「デパートＡの西壁を見て」を通信部１６でサーバ２から取得する。ＣＰＵ１１は位置説明情報「デパートＡの西壁を見て」を表示部１５に表示する。以下、実施の形態１と同様であり、簡潔のため記載を省略する。
【００５８】
図２２は本実施形態における情報処理システムの処理手順を示したフローチャートである。ステップＳ１１〜Ｓ３０の処理は上述の実施の形態１に係る情報処理システムと同様であるので、簡潔のため説明を省略する。ＣＰＵ２１はステップＳ１７の処理を終了した後、広告ＩＤに対応する広告が屋内に設置されているか否かを判定する（ステップＳ５１）。すなわちＣＰＵ２１は広告ＩＤに対応する広告が屋内にあるか否かを判定する。ＣＰＵ２１は屋内に設置されていないと判定した場合（ステップＳ５１：ＮＯ）、すなわち広告ＩＤに対応する広告が屋外に設置されていると判定した場合、処理をステップＳ１８に移す。ＣＰＵ２１は屋内に設置されていると判定した場合（ステップＳ５１：ＹＥＳ）、特定した位置説明情報及びビーコンＩＤの出力要求を通信部２６でユーザＩＤに対応する携帯端末装置１へ出力する（ステップＳ５２）。ＣＰＵ１１は位置説明情報及びビーコンＩＤの出力要求を通信部１６でサーバ２から取得する（ステップＳ５３）。ＣＰＵ１１は位置説明情報を表示部１５に表示する（ステップＳ５４）。
【００５９】
ＣＰＵ１１は送信装置７からビーコンＩＤを受信しているか否かを判定する（ステップＳ５５）。ＣＰＵ１１は送信装置７からビーコンＩＤを受信していないと判定した場合（ステップＳ５５：ＮＯ）、ビーコンＩＤを受信するまで処理を繰り返す。ＣＰＵ１１は送信装置７からビーコンＩＤを受信していると判定した場合（ステップＳ５５：ＹＥＳ）、ビーコンＩＤ及びユーザＩＤを通信部１６でサーバ２へ出力する（ステップＳ５６）。ＣＰＵ２１はビーコンＩＤ及びユーザＩＤを通信部２６で携帯端末装置１から取得する（ステップＳ５７）。ＣＰＵ２１は屋内広告情報ＤＢ２２３を参照し、ビーコンＩＤに対応する位置説明情報を特定する（ステップＳ５８）。ＣＰＵ２１は位置説明情報を通信部２６で携帯端末装置１へ出力する（ステップＳ５９）。ＣＰＵ１１は位置説明情報を通信部１６でサーバ２から取得する（ステップＳ６０）。ＣＰＵ１１は位置説明情報を表示部１５に表示し（ステップＳ６１）、処理をステップＳ２１に移す。
【００６０】
一態様によれば、屋内の広告にも対応することができる。
【００６１】
実施の形態５
実施の形態５は広告６の表示を制限する実施形態である。以下本発明の実施の形態５をその実施の形態を示す図面に基づいて詳述する。以下、特に説明する構成、作用以外の構成及び作用は実施の形態１と同等であり、簡潔のため記載を省略する。駅前又は大通り等、広告が集中して存在する場所にユーザが位置していた場合、ＣＰＵ２１は抽出した広告ＩＤが所定の数以上になるときがある。この場合、ユーザの携帯端末装置１はプッシュ通知が連続して通知される。このことによりユーザが不快に感じることがある。このため、サーバ２は抽出した広告ＩＤの数の制限を行う。以下、フローチャートにより本実施形態の情報処理システムを説明する。
【００６２】
図２３は本実施形態における情報処理システムの処理手順を示したフローチャートである。ステップＳ１１〜Ｓ３０の処理は上述の実施の形態１に係る情報処理システムと同様であるので、簡潔のため説明を省略する。ＣＰＵ２１はステップＳ１６の処理を終了した後、抽出した広告ＩＤが所定の数以上であるか否かを判定する（ステップＳ７１）。所定の数とは例えば３つである。ＣＰＵ２１はステップＳ１６の処理を終了した後、抽出した広告ＩＤが所定の数以上でないと判定した場合（ステップＳ７１：ＮＯ）、処理をステップＳ１７に移す。ＣＰＵ２１はステップＳ１６の処理を終了した後、抽出した広告ＩＤが所定の数以上であると判定した場合（ステップＳ７１：ＹＥＳ）、ランダムに所定の広告数の広告ＩＤを抽出し（ステップＳ７２）、処理をステップＳ１７に移す。すなわちＣＰＵ２１は広告ＩＤの抽出を制限する。所定の広告数とは例えば２つである。
【００６３】
一態様によれば、抽出する広告ＩＤの数を制限することでユーザの不快感を低減することができる。
【００６４】
実施の形態６
以下本発明の実施の形態６をその実施の形態を示す図面に基づいて詳述する。図２４は実施の形態６に係るサーバ２のハードウェア群を示すブロック図である。以下、特に説明する構成、作用以外の構成及び作用は実施の形態５と同等であり、簡潔のため記載を省略する。
【００６５】
サーバ２を動作させるためのプログラムは、ディスクドライブ等の読取部２７にＣＤ−ＲＯＭ、ＤＶＤ（Digital Versatile Disc）ディスク、メモリーカード、又はＵＳＢ（Universal Serial Bus）メモリ等の可搬型記録媒体２７Ａを読み取らせて記憶部２２に記憶してもよい。また当該プログラムを記憶したフラッシュメモリ等の半導体メモリ２７Ｂをサーバ２内に実装しても良い。通信部２６は、例えば無線ＬＡＮカード又は携帯電話用通信モジュール等であり、通信網Ｎを介して他のサーバに接続されている。当該プログラムは、通信部２６によりインターネット等の通信網Ｎを介して接続される他のサーバ（図示せず）からダウンロードすることも可能である。以下にその内容を説明する。
【００６６】
図２４に示すサーバ２は、上述した各種ソフトウェア処理を実行するプログラムを、可搬型記録媒体２７Ａ又は半導体メモリ２７Ｂから読み取り、あるいは、通信網Ｎを介して他のサーバ（図示せず）からダウンロードする。当該プログラムは、プログラム２２Ｐとしてインストールされ、記憶部２２にロードして実行される。これより上述したサーバ２として機能する。
【００６７】
図２５は実施の形態６に係るサーバ２の機能ブロック図である。ＣＰＵ２１がプログラム２２Ｐを実行することにより、サーバ２は以下のように動作する。出力部２１Ａは位置を示す位置情報及び広告６が表示された位置を示す広告位置情報に基づいて該位置情報が示す位置から所定の範囲内の広告位置情報を他の情報処理装置１へ出力する。取得部２１Ｂは該広告位置情報が示す位置に表示された広告６に付属し、他の情報処理装置１で撮像された広告識別情報を他の情報処理装置１から取得する。
【００６８】
以上の実施の形態に関し、更に以下の付記を開示する。
（付記１）    
情報処理装置２に用いられるプログラム２２Ｐであって、
該情報処理装置２に、
位置を示す位置情報及び広告６が表示された位置を示す広告位置情報に基づいて該位置情報が示す位置から所定の範囲内の広告位置情報を他の情報処理装置１へ出力し、
該広告位置情報が示す位置に表示された広告６に対応し、かつ、前記他の情報処理装置１で撮像された広告６の広告識別情報を前記他の情報処理装置１から取得する
処理を実行させるプログラム２２Ｐ。
（付記２）    
前記広告位置情報と前記広告６が表示された方向を示す広告表示方向とが対応づけられて記憶部２２に記憶されており、
前記位置情報が示す位置の変化に基づいて決定される方向を示す変化方向を他の情報処理装置１から取得し、
取得した変化方向と前記記憶部２２に記憶された広告表示方向とが相対しているか否かを判定し、
前記変化方向と広告表示方向とが相対していると判定した場合、前記所定の範囲内の広告位置情報の内、前記広告表示方向に対応づけられた広告位置情報を他の情報処理装置１へ出力する
処理を実行させる付記１に記載のプログラム２２Ｐ。
（付記３）    
取得した前記広告識別情報を記憶部２２に記憶し、
前記記憶部２２に記憶された広告識別情報それぞれについて、該広告識別情報が取得された回数を計数する
処理を実行させる付記１に記載のプログラム２２Ｐ。
（付記４）    
前記広告識別情報同士を関連付け、
関連付けられた複数の広告識別情報が前記記憶部２２に記憶された場合、前記広告６の効果を示す点数を増加させる
処理を実行させる付記３に記載のプログラム２２Ｐ。
（付記５）    
ユーザを識別するためのユーザ識別情報と、前記広告６の種別とが対応づけられて前記記憶部２２に記憶されており、
前記ユーザ識別情報を取得し、
取得したユーザ識別情報に対応づけられた広告６の種別と前記所定の範囲内の広告位置情報が示す位置に表示された広告６の種別とが一致するか否かを判定し、
取得したユーザ識別情報に対応づけられた広告６の種別と前記所定の範囲内の広告位置情報が示す位置に表示された広告６の種別とが一致する場合、前記広告位置情報を前記他の情報処理装置１へ出力する
処理を実行させる付記１から付記４のいずれか１つに記載のプログラム２２Ｐ。
（付記６）    
前記ユーザの属性を示す属性情報に基づいて前記広告６の種別を特定し、
特定した広告６の種別と前記所定の範囲内の広告位置情報が示す位置に表示された広告６の種別とが一致するか否かを判定し、
特定した広告６の種別と前記所定の範囲内の広告位置情報が示す位置に表示された広告６の種別とが一致する場合、前記広告位置情報を前記他の情報処理装置１へ出力する
処理を実行させる付記５に記載のプログラム２２Ｐ。
（付記７）    
前記広告６と前記広告６が屋内にあるか否かを示す屋内情報とが対応づけられて前記記憶部２２に記憶されており、
前記屋内情報に基づいて前記広告６が屋内にあるか否かを判定し、
前記広告６が屋内にあると判定した場合、屋内に設置され、無線信号を送信する送信装置７を識別するための送信識別情報を要求し、
前記送信識別情報を前記他の情報処理装置１から取得し、
取得した送信識別情報に基づいて前記広告位置情報を前記他の情報処理装置１へ出力する
処理を実行させる付記１から付記６のいずれか１つに記載のプログラム２２Ｐ。
（付記８）    
前記所定の範囲内の広告位置情報が所定の数以上であるか否かを判定し、
前記所定の範囲内の広告位置情報が所定の数以上であると判定した場合、前記広告位置情報を出力する数を制限する
処理を実行させる付記１から付記７のいずれか１つに記載のプログラム２２Ｐ。
（付記９）    
位置を示す位置情報及び広告６が表示された位置を示す広告位置情報に基づいて該位置情報が示す位置から所定の範囲内の広告位置情報を他の情報処理装置１へ出力する出力部２１Ａと、
該広告位置情報が示す位置に表示された広告６に付属し、前記他の情報処理装置１で撮像された広告識別情報を前記他の情報処理装置１から取得する取得部２１Ｂと
を備える情報処理装置２。
（付記１０）    
情報処理装置２における情報処理方法であって、
位置を示す位置情報及び広告６が表示された位置を示す広告位置情報に基づいて該位置情報が示す位置から所定の範囲内の広告位置情報を他の情報処理装置１へ出力し、
該広告位置情報が示す位置に表示された広告６に付属し、前記他の情報処理装置１で撮像された広告識別情報を前記他の情報処理装置１から取得する
情報処理方法。
【００６９】
以上の実施の形態で示された発明情報もしくは発明関連情報へのアクセスの許可又は禁止は例示であって、制限的なものではないと考えられるべきである。各判定処理後における発明情報もしくは発明関連情報の許可又は禁止は任意に入れ替えることができる。
【００７０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【００７１】
１  携帯端末装置（情報処理装置）
２  サーバ（情報処理装置）
２２Ｐ  プログラム
２１Ａ  出力部
２１Ｂ  取得部
【図１】
2016133841.tif 000003
【図２】
2016133841.tif 000004
【図３】
2016133841.tif 000005
【図４】
2016133841.tif 000006
【図５】
2016133841.tif 000007
【図６】
2016133841.tif 000008
【図７】
2016133841.tif 000009
【図８】
2016133841.tif 000010
【図９】
2016133841.tif 000011
【図１０】
2016133841.tif 000012
【図１１】
2016133841.tif 000013
【図１２】
2016133841.tif 000014
【図１３】
2016133841.tif 000015
【図１４】
2016133841.tif 000016
【図１５】
2016133841.tif 000017
【図１６】
2016133841.tif 000018
【図１７】
2016133841.tif 000019
【図１８】
2016133841.tif 000020
【図１９】
2016133841.tif 000021
【図２０】
2016133841.tif 000022
【図２１】
2016133841.tif 000023
【図２２】
2016133841.tif 000024
【図２３】
2016133841.tif 000025
【図２４】
2016133841.tif 000026
【図２５】
2016133841.tif 000027